(57)【要約】【課題】フィルムコンデンサの絶縁抵抗の低下防止対策。【解決手段】フィルムコンデンサ（10）は、重畳した一対のフィルム（11,11）の両面に金属膜（12）がそれぞれ形成された金属化フィルム（13）を備え、金属化フィルム（13）が巻回されて形成され、且つ巻回された金属化フィルム（13）の幅方向の両端のそれぞれにメタリコン電極（17,17）が接続されている。フィルム（11）の幅方向の端部で、且つメタリコン電極（17,17）と金属膜（12）との間にフィルム（11）が露出したサイドマージン（14）が形成されている。一対のフィルム（11,11）は、一方のフィルム（11）が、他方のフィルム（11）に対して幅方向に突出するように配置され、金属化フィルム（13）は、一方のフィルム（11）の突出部分のサイドマージン（14）に外部からフィルム（11）の内部への侵入物を阻止する阻止膜（16）を備えている。【選択図】図１
2011077349.tif 000002
【特許請求の範囲】
【請求項１】
重畳した一対のフィルム部材（11,11）の少なくとも一の外側面と少なくとも一の内側面のそれぞれに電極膜（12）が形成された金属化フィルム部材（13）を備え、該金属化フィルム部材（13）が巻回されて形成され、且つ巻回された金属化フィルム部材（13）の幅方向の両端のそれぞれに電極部材（17,17）が接続されたフィルムコンデンサであって、
上記フィルム部材（11）の幅方向の端部で、且つ電極部材（17,17）と電極膜（12）との間にフィルム部材（11）が露出した露出部（14）が形成され、
上記一対のフィルム部材（11,11）は、少なくとも一方のフィルム部材（11）が、他方のフィルム部材（11）に対して幅方向に突出するように配置され、
上記金属化フィルム部材（13）は、上記フィルム部材（11）の少なくとも突出部分の露出部（14）に設けられて外部からフィルム部材（11）の内部への侵入物を阻止する阻止部材（16）を備えている
ことを特徴とするフィルムコンデンサ。
【請求項２】
請求項１において、
上記阻止部材（16）は、上記電極膜（12）で構成されている
ことを特徴とするフィルムコンデンサ。
【発明の詳細な説明】
【技術分野】
【０００１】
本発明は、フィルムコンデンサに関し、特に、絶縁抵抗の低下防止対策に係るものである。
【背景技術】
【０００２】
従来より、フィルムコンデンサは、表面にアルミニウム又は亜鉛を蒸着したフィルムや、アルミニウム箔とフィルムを多層に重ねて構成されたものが知られている。近年では、とくに金属蒸着によりフィルム上に電極を作製するタイプのフィルムコンデンサが多く用いられている。
【０００３】
フィルムコンデンサ用のフィルムとしては、これまでポリプロピレン（ＰＰ）、ポリエチレンテレフタラート（ＰＥＴ）やポリフェニレンサルファイド（ＰＰＳ）を材料とするフィルムが検討されている（特許文献１参照）。ところが、これらの材料からなるフィルムは、誘電率が２．５〜３程度と低いものであった。フィルムコンデンサの容量は、誘電率に比例し、膜厚に反比例することから、これまではフィルムの薄膜化が検討されてきた。ところが、フィルムの薄膜化には、生産での困難や絶縁電圧の低下等の課題があった。一方で、フィルムコンデンサは小型化・大容量化が求められているため、フィルムに対する高誘電率化・薄膜化の要望は大きい。
【０００４】
このような要望に鑑みて、高誘電率化の手法として、従来より樹脂と無機強誘電体微粒子を溶液中で混合し、コーティングにより薄膜を形成する方法（いわゆる塗工法）が知られている。
【０００５】
図８及び図９に、塗工法によって製造されたフィルム（b）を用いたフィルムコンデンサ（a）を示す。このフィルムコンデンサ（a）は、金属膜（c）をフィルム（b）に蒸着させて２枚重ねにして金属化フィルム（d）を形成し、それを巻回することで形成されている。このフィルム（b）には、片面の一端側に絶縁を確保するためのサイドマージン（e）が設けられ、且つ反対面の他端側にも同じくサイドマージン（e）が設けられている。このサイドマージン（e）とは、フィルム（b）の表面のうち、金属膜（c）が形成されていない領域のことである。そして、２枚のフィルム（b,b）は、互いを左右方向にずらして重ねた状態で巻回されている。
【０００６】
このフィルムコンデンサ（a）の左右方向の両端部には、メタリコン電極（f,f）が形成されている。２枚のフィルム（b,b）は、ずらした部分がメタリコン電極（f,f）に挟まれて接触することで固定支持されている。つまり、一枚のフィルム（b）の左右方向の一端部では、片面側の金属膜（c）と反対面側のサイドマージン（d）とがメタリコン電極（f）と接触している。
【先行技術文献】
【特許文献】
【０００７】
【特許文献１】特開２００９−３８０８９号公報
【発明の概要】
【発明が解決しようとする課題】
【０００８】
ところで、上記塗工法によるフィルム製造では、ポリマー材料や高誘電率材料を溶剤に溶解させて塗料にしている。このため、塗工後に溶剤を乾燥させて除去する工程が必須となる。しかしながら、フィルム中に含まれる溶剤は乾燥によって揮発するが、フィルムから溶剤の抜けた部分には微小な空隙が発生する。この空隙は、フィルムコンデンサの製造工程で大気中の水分等の不純物を吸着することがある。
【０００９】
特に、上述した図８及び図９に示すフィルムコンデンサ（a）では、サイドマージン（e）においてフィルム（b）が外部に露出した状態となっている。このため、大気中の水分等の不純物は、メタリコン電極（f,f）を通過してサイドマージン（e）とメタリコン電極（f,f）との接触部分からフィルム（b）の内部へ侵入する。このため、フィルム（b）内の微小な空隙に、上記不純物が付着し、その結果、フィルムコンデンサ（a）の絶縁抵抗が低下するという問題があった。
【００１０】
本発明は、斯かる点に鑑みてなされたものであり、フィルムコンデンサにおける絶縁抵抗の低下を防止することを目的とする。
【課題を解決するための手段】
【００１１】
第１の発明は、重畳した一対のフィルム部材（11,11）の少なくとも一の外側面と少なくとも一の内側面のそれぞれに電極膜（12）が形成された金属化フィルム部材（13）を備え、該金属化フィルム部材（13）が巻回されて形成され、且つ巻回された金属化フィルム部材（13）の幅方向の両端のそれぞれに電極部材（17,17）が接続されたフィルムコンデンサであって、上記フィルム部材（11）の幅方向の端部で、且つ電極部材（17,17）と電極膜（12）との間にフィルム部材（11）が露出した露出部（14）が形成され、上記一対のフィルム部材（11,11）は、少なくとも一方のフィルム部材（11）が、他方のフィルム部材（11）に対して幅方向に突出するように配置され、上記金属化フィルム部材（13）は、上記フィルム部材（11）の少なくとも突出部分の露出部（14）に設けられて外部からフィルム部材（11）の内部への侵入物を阻止する阻止部材（16）を備えている。
【００１２】
上記第１の発明では、フィルム部材（11,11）は、一対で、且つ重畳されて形成されている。そして、一対のフィルム部材（11）には、少なくとも一の外側面と少なくとも一の内側面のそれぞれに電極膜（12）が形成されて金属化フィルム（13）を構成している。また、上記フィルム部材（11）の幅方向の端部で、且つ電極部材（17）と電極膜（12）との間にフィルム部材（11）が露出した露出部（14）が形成されている。フィルムコンデンサは、上記金属化フィルム（13）を巻回し、幅方向の両端のそれぞれに電極部材（17,17）を接続している。
【００１３】
そして、一対のフィルム部材（11,11）は、少なくとも一方のフィルム部材（11）が他方のフィルム部材（11）に対して幅方向に突出するように配置している。また、フィルム部材（11）の少なくとも突出した部分の露出部（14）には、外部からフィルム部材（11）の内部への侵入物を阻止する阻止部材（16）が設けられている。
【００１４】
ここで、従来の金属化フィルム（d）はサイドマージン（e）においてフィルム（b）部分が外部に露出しているため、侵入物（例えば空気中の水分等の不純物）は、メタリコン電極（f,f）を通過してサイドマージン（e）とメタリコン電極（f,f）との接触部分からフィルム（b）の内部へ侵入していた。
【００１５】
ところが、本発明の金属化フィルム部材（13）では、阻止部材（16）が、上記一方のフィルム部材（11）の突出部分の露出部（14）と、電極部材（17,17）との接触部分に設けられている。このため、阻止部材（16）は、侵入物（例えば空気中の水分等の不純物）が、上記接触部分から露出部（14）を介してフィルム部材（11）の内部へ入り込むのを阻止している。これにより、フィルム部材（11）の内部の空隙に侵入物（例えば空気中の水分等の不純物）が付着することがないため、フィルムコンデンサの絶縁抵抗の低下が生じない。
【００１６】
第２の発明は、上記第１の発明において、上記阻止部材（16）は、上記電極膜（12）で構成されている。
【００１７】
上記第２の発明では、阻止部材（16）を電極膜（12）で形成した。露出部（14）に電極膜（12）が設けられているため、露出部（14）を介してフィルム部材（11）の内部に侵入物（例えば空気中の水分等の不純物）が入り込むのを阻止することができる。これにより、フィルム部材（11）の内部の空隙に侵入物（例えば空気中の水分等の不純物）が付着することがないため、フィルムコンデンサの絶縁抵抗の低下が生じない。
【発明の効果】
【００１８】
上記第１の発明によれば、一方のフィルム部材（11）の突出部分の露出部（14）と、電極部材（17,17）との接触部分に阻止部材（16）を設けたため、侵入物（例えば空気中の水分等の不純物）が接触部分から露出部（14）を介してフィルム部材（11）の内部へ入り込むのを阻止することができる。これにより、フィルム部材（11）の内部で空隙に侵入物（例えば空気中の水分等の不純物）が付着するのを防止することができる。この結果、フィルムコンデンサの絶縁抵抗が低下するのを確実に防止することができる。
【００１９】
上記第２の発明によれば、阻止部材（16）を電極膜（12）で形成したため、金属化フィルム部材（13）へ容易に阻止部材（16）を形成することができる。また、金属化フィルム部材（13）において、阻止部材（16）の高さと、電極膜（12）の高さとを揃えることができる。
【図面の簡単な説明】
【００２０】
【図１】本実施形態１に係るフィルムコンデンサを示す断面図である。
【図２】本実施形態１に係るフィルムコンデンサを示す拡大された斜視図である。
【図３】従来例に係る金属化フィルムの製造方法を示す斜視図である。
【図４】本実施形態１に係る金属化フィルムの製造方法を示す斜視図である。
【図５】本実施形態１の変形例に係るフィルムコンデンサを示す断面図である。
【図６】本実施形態２に係るフィルムコンデンサを示す断面図である。
【図７】本実施形態２に係るフィルムコンデンサを示す拡大された斜視図である。
【図８】従来例に係るフィルムコンデンサを示す断面図である。
【図９】従来例に係るフィルムコンデンサを示す拡大された斜視図である。
【発明を実施するための形態】
【００２１】
以下、本発明の実施形態を図面に基づいて詳細に説明する。
【００２２】
〈発明の実施形態１〉
本発明の実施形態１について図面に基づいて説明する。図１及び図２に本実施形態１に係るフィルムコンデンサ（10）を示す。このフィルムコンデンサ（10）は、一対のフィルム（11,11）のそれぞれの両面に金属膜（12）を蒸着させ、それらを上下２枚重ねにして金属化フィルム（13）を形成し、この金属化フィルム（13）を巻回して形成されると共に、金属化フィルム（13）の幅方向の両端にメタリコン電極（17,17）が接続されて形成されている。尚、上記金属化フィルム（13）は、本発明に係る金属化フィルム部材を構成している。
【００２３】
上記各フィルム（11）は、その厚さが３〜１０μｍ程度に形成されており、本発明に係るフィルム部材を構成している。各フィルム（11）の両側の表面には、アルミニウム（Ａｌ）などの金属膜（12）がコーティングされている。この金属膜（12）は、その膜厚が５０Å〜４００Å程度に形成されている。各フィルム（11）は、その片面の幅方向の一端側にサイドマージン（14）が形成されている一方、反対面の幅方向の他端側にサイドマージン（14）が形成されている。尚、２枚のフィルム（11,11）は、互いを左右方向に１ｍｍ程度、ずらした状態で重ねられている。この１ｍｍの幅の領域を本発明に係る突出部分を構成する取付部分（15）とする。上記金属化フィルム（13）は、両面にサイドマージン（14）を有する金属膜（12）が形成されたフィルム（11）を２枚重ねて形成されている。
【００２４】
上記サイドマージン（14）は、フィルム（11）の表面のうち、金属膜（12）がコーティングされていない領域である。このサイドマージン（14）は、後述するメタリコン電極（17,17）と金属膜（12）との間に設けられて両部材を電気的に絶縁するものであって、本発明に係る露出部を構成している。サイドマージン（14）は、各フィルム（11）の片面の幅方向の一端から他端側に２〜３ｍｍの幅をもって形成される一方、反対面の幅方向の他端から一端側に２〜３ｍｍの幅をもって形成されている。
【００２５】
上記各フィルム（11）のうち、上側面に形成されるサイドマージン（14）には、大気中の水分やほこり等の不純物（本発明に係る侵入物）がフィルム（11）の内部に侵入するのを阻止するための阻止膜（16）が形成されている。尚、この阻止膜（16）は、本発明に係る阻止部材を構成している。
【００２６】
上記阻止膜（16）は、上記金属膜（12）と同材料のアルミニウムで形成された金属膜であり、膜厚は５０Å〜４００Å程度に形成されている。阻止膜（16）は、各フィルム（11）の上側面のサイドマージン（14）のうち、取付部分（15）に対応する部分を覆って形成されている。
【００２７】
上記メタリコン電極（17,17）は、上記金属膜（12）と電気的に接続されると共に、外部へ延びる接続端子となるものであって、フィルムコンデンサ（10）の電極を構成するものである。尚、このメタリコン電極（17,17）は、本発明に係る電極部材を構成するものである。このメタリコン電極（17,17）は、亜鉛（Ｚｎ）等の金属をフィルムコンデンサ（10）の端部に溶融噴射することで形成される。
【００２８】
具体的に、各フィルム（11）は、その幅方向の取付部分（15）が吹き付けられたメタリコン電極（17,17）の内部に埋没することでメタリコン電極（17,17）に固定支持されている。つまり、メタリコン電極（17,17）が、各フィルム（11）の取付部分（15）を上下方向から挟み込むことで、メタリコン電極（17,17）と金属膜（12）との電気的な接触性を確保すると共に、フィルム（11）を安定して固定支持している。
【００２９】
したがって、各フィルム（11）の片面（上側面）では、一端側のサイドマージン（14）のうち、取付部分（15）に形成された阻止膜（16）がメタリコン電極（17）と接触する一方、他端側の金属膜（12）の蒸着部分がメタリコン電極（17）と接触している。また、各フィルム（11）の反対面（下側面）では、一端側の金属膜（12）のうち、取付部分（15）に対応する位置に形成された金属膜（12）がメタリコン電極（17）と接触する一方、他端側のサイドマージン（14）がメタリコン電極（17）と接触している。
【００３０】
従来のフィルムコンデンサでは、一対のフィルムを互いにずらして１ｍｍ程度の取付部分を設けることによって、金属化フィルムとメタリコン電極とを固定支持していたが、取付部分におけるサイドマージンでは、フィルムが露出した状態となっている。そして、メタリコン電極は、ほこりや水分等の不純物を通過させてしまう。このため、メタリコン電極からフィルムの露出部分を介して大気中の水分やほこり等の不純物がフィルム内部に侵入していた。
【００３１】
ところが、本実施形態１のフィルムコンデンサ（10）では、各フィルム（11）のサイドマージン（14）のうち、メタリコン電極（17,17）へ埋没する取付部分（15）には、阻止膜（16）が形成されているため、メタリコン電極（17,17）からのほこりや水分等の不純物は、阻止膜（16）に阻まれるため、サイドマージン（14）を介してフィルム（11）の内部へ水分やほこり等の不純物が入り込むことはない。これにより、フィルム（11）の内部の空隙に水分やほこり等の不純物が付着するのを防止することができる。この結果、フィルムコンデンサ（10）の絶縁抵抗の低下が生じない。
【００３２】
−金属化フィルムの製造工程−
本実施形態１に係るフィルム（11）の製造工程について説明する。
【００３３】
まず、図３に示すように、従来のフィルムコンデンサ（a）におけるフィルム（b）の製造工程では、まず、６００ｍｍ幅の広幅長尺のロールフィルム原反（g）に、サイドマージン（e）を作るためのマスク処理を行う。このマスク処理は、オイルマスク又はテープマスクを用いて行われる。次に、ロールフィルム原反（g）に真空蒸着機でアルミニウム（Ａｌ）を蒸着して金属膜（c）を形成する。そして、ロールフィルム原反（g）のスリット部分をカットすることで、図８に示す金属化フィルム（d）が完成する。このフィルム（b）を２枚重ねにして巻回機にかけて巻回する。最後に、巻回して形成した金属化フィルム（d）の幅方向両端にメタリコン電極（f,f）を接続してフィルムコンデンサ（a）が完成する。
【００３４】
次に、本実施形態１に係るフィルム（11）の製造工程について説明する。図４に示すように、フィルムコンデンサ（10）におけるフィルム（11）の製造工程では、まず、６００ｍｍ幅の広幅長尺のロールフィルム原反（18）に、サイドマージン（14）を作るためのマスク処理を行う。このとき、ロールフィルム原反（18）のスリット部分には、マスク処理を行わない。このマスク処理は、オイルマスク又はテープマスクを用いて行われる。次に、ロールフィルム原反（18）に真空蒸着機でアルミニウム（Ａｌ）を蒸着して金属膜（12）を形成する。尚、蒸着する金属は、アルミニウム（Ａｌ）に限られず亜鉛（Ｚｎ）等でもよい。このとき、ロールフィルム原反（18）の両面に金属膜（12）を蒸着形成すると共に、スリットの部分にも金属膜である阻止膜（16）を蒸着形成する。そして、ロールフィルム原反（18）のスリット部分をカットすることで、図１に示すフィルム（11）が完成する。このフィルム（11）を２枚重ねにして巻回機にかけて巻回する。最後に、巻回した一対の金属化フィルム（13,13）の幅方向両端にメタリコン電極（17,17）を接続してフィルムコンデンサ（10）が完成する。
【００３５】
上述した製造方法によれば、阻止膜（16）を容易にフィルム（11）上に形成することができる。
【００３６】
−実施形態１の効果−
上記実施形態１によれば、一方のフィルム（11）の取付部分（15）に位置するサイドマージン（14）と、メタリコン部材（17,17）との接触部分に阻止膜（16）を設けたため、空気中の水分等の不純物が接触部分からサイドマージン（14）を介してフィルム（11）の内部へ入り込むのを阻止することができる。これにより、フィルム（11）の内部で空隙に空気中の水分等の不純物が付着するのを防止することができる。この結果、フィルムコンデンサ（10）の絶縁抵抗が低下するのを確実に防止することができる。
【００３７】
上記阻止膜（16）を金属膜（12）で形成したため、金属化フィルム（13）へ容易に阻止膜（16）を形成することができる。また、金属化フィルム（13）において、阻止膜（16）の高さと、金属膜（12）の高さとを揃えることができる。
【００３８】
〈実施形態１の変形例〉
次に、本発明の実施形態１の変形例について説明する。上記実施形態１のフィルムコンデンサ（10）は、一対のフィルム（11,11）のそれぞれの両面に金属膜（12）を蒸着させ、上下２枚重ねにして金属化フィルム（13）を形成し、この金属化フィルム（13）を巻回して形成したのに代えて、図５に示すように、本変形例に係るフィルムコンデンサ（30）は、二枚のフィルム（11,11）のそれぞれの片面に金属膜（12）を蒸着させて重ね合わせて金属化フィルム（13）を形成し、その状態で巻回して形成するようにしたものである。本変形例では、阻止膜（16）は、樹脂材料によって形成されている。その他の構成・作用及び効果は実施形態１と同様である。
【００３９】
〈発明の実施形態２〉
次に、本発明の実施形態２について説明する。上記実施形態１のフィルムコンデンサ（10）は、一対のフィルム（11,11）のそれぞれの両面に金属膜（12）を蒸着させ、上下２枚重ねにして金属化フィルム（13）を形成し、この金属化フィルム（13）を巻回して形成したのに代えて、図６及び図７に示すように、実施形態２のフィルムコンデンサ（20）は、一枚のフィルム（11a）の両面に金属膜（12）を蒸着させて、それを別の一枚のフィルム（11b）に重ね合わせて金属化フィルム（13）を形成し、その状態で巻回して形成するようにしたものである。
【００４０】
具体的に、一のフィルム（11a）は、その両側の表面に金属膜（12）がコーティングされて形成されている。このフィルム（11a）は、その片面の幅方向の一端側にサイドマージン（14）が形成されている一方、反対面の幅方向の他端側にサイドマージン（14）が形成されている。そして、このフィルム（11a）には、他の別のフィルム（11b）に対して幅方向の両端がそれぞれ１ｍｍずつ突き出ており、突出部分は取付部分（15,15）を構成している。
【００４１】
上記一のフィルム（11a）は、その幅方向の取付部分（15,15）が吹き付けられたメタリコン電極（17,17）の内部に埋没することでメタリコン電極（17,17）に固定支持されている。そして、このフィルム（11a）の両面のサイドマージン（14,14）のうち、取付部分（15,15）に対応する部分を覆って阻止膜（16,16）が形成されている。
【００４２】
本実施形態２のフィルムコンデンサ（20）では、金属膜（12）の蒸着されたフィルム（11a）のサイドマージン（14,14）のうち、メタリコン電極（17,17）へ埋没する取付部分（15,15）には、阻止膜（16,16）が形成されているため、メタリコン電極（17,17）からのほこりや水分等の不純物は、阻止膜（16,16）に阻まれるため、サイドマージン（14,14）を介してフィルム（11a）の内部へ水分やほこり等の不純物が入り込むことはない。これにより、フィルム（11a）の内部の空隙に水分やほこり等の不純物が付着するのを防止することができる。この結果、フィルムコンデンサ（20）の絶縁抵抗の低下が生じない。その他の構成・作用及び効果は実施形態１と同様である。
【００４３】
〈その他の実施形態〉
本発明は、上記実施形態１及び２について、以下のような構成としてもよい。
【００４４】
上記実施形態１及び２では、金属膜（12）及び阻止膜（16）をアルミニウムで形成したが、金属膜（12）及び阻止膜（16）は、その他の金属や樹脂材料等によって形成されてもよい。また、メタリコン電極（17,17）を亜鉛で形成したが、メタリコン電極（17,17）は、その他の金属によって形成されてもよい。
【００４５】
尚、以上の実施形態は、本質的に好ましい例示であって、本発明、その適用物、あるいはその用途の範囲を制限することを意図するものではない。
【産業上の利用可能性】
【００４６】
以上説明したように、本発明は、フィルムコンデンサの絶縁抵抗の低下防止対策について有用である。
【符号の説明】
【００４７】
１１          フィルム
１２          金属膜
１３          金属化フィルム
１４          サイドマージン
１６          阻止膜
１７          メタリコン電極
【図１】
2011077349.tif 000003
【図２】
2011077349.tif 000004
【図３】
2011077349.tif 000005
【図４】
2011077349.tif 000006
【図５】
2011077349.tif 000007
【図６】
2011077349.tif 000008
【図７】
2011077349.tif 000009
【図８】
2011077349.tif 000010
【図９】
2011077349.tif 000011
【手続補正書】
【提出日】平成23年2月7日(2011.2.7)
【手続補正１】
【補正対象書類名】明細書
【補正対象項目名】全文
【補正方法】変更
【補正の内容】
【発明の詳細な説明】
【技術分野】
【０００１】
本発明は、フィルムコンデンサに関し、特に、絶縁抵抗の低下防止対策に係るものである。
【背景技術】
【０００２】
従来より、フィルムコンデンサは、表面にアルミニウム又は亜鉛を蒸着したフィルムや、アルミニウム箔とフィルムを多層に重ねて構成されたものが知られている。近年では、とくに金属蒸着によりフィルム上に電極を作製するタイプのフィルムコンデンサが多く用いられている。
【０００３】
フィルムコンデンサ用のフィルムとしては、これまでポリプロピレン（ＰＰ）、ポリエチレンテレフタラート（ＰＥＴ）やポリフェニレンサルファイド（ＰＰＳ）を材料とするフィルムが検討されている（特許文献１参照）。ところが、これらの材料からなるフィルムは、誘電率が２．５〜３程度と低いものであった。フィルムコンデンサの容量は、誘電率に比例し、膜厚に反比例することから、これまではフィルムの薄膜化が検討されてきた。ところが、フィルムの薄膜化には、生産での困難や絶縁電圧の低下等の課題があった。一方で、フィルムコンデンサは小型化・大容量化が求められているため、フィルムに対する高誘電率化・薄膜化の要望は大きい。
【０００４】
このような要望に鑑みて、高誘電率化の手法として、従来より樹脂と無機強誘電体微粒子を溶液中で混合し、コーティングにより薄膜を形成する方法（いわゆる塗工法）が知られている。
【０００５】
図８及び図９に、塗工法によって製造されたフィルム（b）を用いたフィルムコンデンサ（a）を示す。このフィルムコンデンサ（a）は、金属膜（c）をフィルム（b）に蒸着させて２枚重ねにして金属化フィルム（d）を形成し、それを巻回することで形成されている。このフィルム（b）には、片面の一端側に絶縁を確保するためのサイドマージン（e）が設けられ、且つ反対面の他端側にも同じくサイドマージン（e）が設けられている。このサイドマージン（e）とは、フィルム（b）の表面のうち、金属膜（c）が形成されていない領域のことである。そして、２枚のフィルム（b,b）は、互いを左右方向にずらして重ねた状態で巻回されている。
【０００６】
このフィルムコンデンサ（a）の左右方向の両端部には、メタリコン電極（f,f）が形成されている。２枚のフィルム（b,b）は、ずらした部分がメタリコン電極（f,f）に挟まれて接触することで固定支持されている。つまり、一枚のフィルム（b）の左右方向の一端部では、片面側の金属膜（c）と反対面側のサイドマージン（d）とがメタリコン電極（f）と接触している。
【先行技術文献】
【特許文献】
【０００７】
【特許文献１】特開２００９−３８０８９号公報
【発明の概要】
【発明が解決しようとする課題】
【０００８】
ところで、上記塗工法によるフィルム製造では、ポリマー材料や高誘電率材料を溶剤に溶解させて塗料にしている。このため、塗工後に溶剤を乾燥させて除去する工程が必須となる。しかしながら、フィルム中に含まれる溶剤は乾燥によって揮発するが、フィルムから溶剤の抜けた部分には微小な空隙が発生する。この空隙は、フィルムコンデンサの製造工程で大気中の水分等の不純物を吸着することがある。
【０００９】
特に、上述した図８及び図９に示すフィルムコンデンサ（a）では、サイドマージン（e）においてフィルム（b）が外部に露出した状態となっている。このため、大気中の水分等の不純物は、メタリコン電極（f,f）を通過してサイドマージン（e）とメタリコン電極（f,f）との接触部分からフィルム（b）の内部へ侵入する。このため、フィルム（b）内の微小な空隙に、上記不純物が付着し、その結果、フィルムコンデンサ（a）の絶縁抵抗が低下するという問題があった。
【００１０】
本発明は、斯かる点に鑑みてなされたものであり、フィルムコンデンサにおける絶縁抵抗の低下を防止することを目的とする。
【課題を解決するための手段】
【００１１】
第１の発明は、重畳した一対のフィルム部材（11,11）の少なくとも一の外側面と少なくとも一の内側面のそれぞれに電極膜（12）が形成された金属化フィルム部材（13）を備え、該金属化フィルム部材（13）が巻回されて形成され、且つ巻回された金属化フィルム部材（13）の幅方向の両端のそれぞれに電極部材（17,17）が接続されたフィルムコンデンサであって、上記各フィルム部材（11）は、塗工法により形成されると共に、両側面のそれぞれに電極膜（12）が形成され、該各フィルム部材（11）の幅方向の端部で、且つ電極部材（17,17）と電極膜（12）との間にフィルム部材（11）が露出した露出部（14）が形成され、上記一対のフィルム部材（11,11）は、互いに一方のフィルム部材（11）が、他方のフィルム部材（11）に対して幅方向に突出するように配置され、上記金属化フィルム部材（13）は、上記フィルム部材（11）の突出部分の露出部（14）に設けられて外部からフィルム部材（11）の内部への侵入物を阻止する阻止部材（16）を備えている。
【００１２】
上記第１の発明では、各フィルム部材（11）は、塗工法により形成されている。フィルム部材（11,11）は、一対で、且つ重畳されて形成されている。そして、各フィルム部材（11）には、その両側面のそれぞれに電極膜（12）が形成されて金属化フィルム（13）を構成している。また、上記フィルム部材（11）の幅方向の端部で、且つ電極部材（17）と電極膜（12）との間にフィルム部材（11）が露出した露出部（14）が形成されている。フィルムコンデンサは、上記金属化フィルム（13）を巻回し、幅方向の両端のそれぞれに電極部材（17,17）を接続している。
【００１３】
そして、一対のフィルム部材（11,11）は、少なくとも一方のフィルム部材（11）が他方のフィルム部材（11）に対して幅方向に突出するように配置している。また、フィルム部材（11）の少なくとも突出した部分の露出部（14）には、外部からフィルム部材（11）の内部への侵入物を阻止する阻止部材（16）が設けられている。
【００１４】
ここで、従来の金属化フィルム（d）はサイドマージン（e）においてフィルム（b）部分が外部に露出しているため、侵入物（例えば空気中の水分等の不純物）は、メタリコン電極（f,f）を通過してサイドマージン（e）とメタリコン電極（f,f）との接触部分からフィルム（b）の内部へ侵入していた。
【００１５】
ところが、本発明の金属化フィルム部材（13）では、阻止部材（16）が、上記一方のフィルム部材（11）の突出部分の露出部（14）と、電極部材（17,17）との接触部分に設けられている。このため、阻止部材（16）は、侵入物（例えば空気中の水分等の不純物）が、上記接触部分から露出部（14）を介してフィルム部材（11）の内部へ入り込むのを阻止している。これにより、フィルム部材（11）の内部の空隙に侵入物（例えば空気中の水分等の不純物）が付着することがないため、フィルムコンデンサの絶縁抵抗の低下が生じない。
【００１６】
第２の発明は、上記第１の発明において、上記阻止部材（16）は、上記電極膜（12）で構成されている。
【００１７】
上記第２の発明では、阻止部材（16）を電極膜（12）で形成した。露出部（14）に電極膜（12）が設けられているため、露出部（14）を介してフィルム部材（11）の内部に侵入物（例えば空気中の水分等の不純物）が入り込むのを阻止することができる。これにより、フィルム部材（11）の内部の空隙に侵入物（例えば空気中の水分等の不純物）が付着することがないため、フィルムコンデンサの絶縁抵抗の低下が生じない。
【発明の効果】
【００１８】
上記第１の発明によれば、一方のフィルム部材（11）の突出部分の露出部（14）と、電極部材（17,17）との接触部分に阻止部材（16）を設けたため、侵入物（例えば空気中の水分等の不純物）が接触部分から露出部（14）を介してフィルム部材（11）の内部へ入り込むのを阻止することができる。これにより、フィルム部材（11）の内部で空隙に侵入物（例えば空気中の水分等の不純物）が付着するのを防止することができる。この結果、フィルムコンデンサの絶縁抵抗が低下するのを確実に防止することができる。
【００１９】
上記第２の発明によれば、阻止部材（16）を電極膜（12）で形成したため、金属化フィルム部材（13）へ容易に阻止部材（16）を形成することができる。また、金属化フィルム部材（13）において、阻止部材（16）の高さと、電極膜（12）の高さとを揃えることができる。
【図面の簡単な説明】
【００２０】
【図１】本実施形態に係るフィルムコンデンサを示す断面図である。
【図２】本実施形態に係るフィルムコンデンサを示す拡大された斜視図である。
【図３】従来例に係る金属化フィルムの製造方法を示す斜視図である。
【図４】本実施形態に係る金属化フィルムの製造方法を示す斜視図である。
【図５】参考例１に係るフィルムコンデンサを示す断面図である。
【図６】参考例２に係るフィルムコンデンサを示す断面図である。
【図７】参考例２に係るフィルムコンデンサを示す拡大された斜視図である。
【図８】従来例に係るフィルムコンデンサを示す断面図である。
【図９】従来例に係るフィルムコンデンサを示す拡大された斜視図である。
【発明を実施するための形態】
【００２１】
以下、本発明の実施形態を図面に基づいて詳細に説明する。
【００２２】
〈発明の実施形態〉
本発明の実施形態について図面に基づいて説明する。図１及び図２に本実施形態に係るフィルムコンデンサ（10）を示す。このフィルムコンデンサ（10）は、一対のフィルム（11,11）のそれぞれの両面に金属膜（12）を蒸着させ、それらを上下２枚重ねにして金属化フィルム（13）を形成し、この金属化フィルム（13）を巻回して形成されると共に、金属化フィルム（13）の幅方向の両端にメタリコン電極（17,17）が接続されて形成されている。尚、上記金属化フィルム（13）は、本発明に係る金属化フィルム部材を構成している。
【００２３】
上記各フィルム（11）は、その厚さが３〜１０μｍ程度に形成されており、本発明に係るフィルム部材を構成している。各フィルム（11）の両側の表面には、アルミニウム（Ａｌ）などの金属膜（12）がコーティングされている。この金属膜（12）は、その膜厚が５０Å〜４００Å程度に形成されている。各フィルム（11）は、その片面の幅方向の一端側にサイドマージン（14）が形成されている一方、反対面の幅方向の他端側にサイドマージン（14）が形成されている。尚、２枚のフィルム（11,11）は、互いを左右方向に１ｍｍ程度、ずらした状態で重ねられている。この１ｍｍの幅の領域を本発明に係る突出部分を構成する取付部分（15）とする。上記金属化フィルム（13）は、両面にサイドマージン（14）を有する金属膜（12）が形成されたフィルム（11）を２枚重ねて形成されている。
【００２４】
上記サイドマージン（14）は、フィルム（11）の表面のうち、金属膜（12）がコーティングされていない領域である。このサイドマージン（14）は、後述するメタリコン電極（17,17）と金属膜（12）との間に設けられて両部材を電気的に絶縁するものであって、本発明に係る露出部を構成している。サイドマージン（14）は、各フィルム（11）の片面の幅方向の一端から他端側に２〜３ｍｍの幅をもって形成される一方、反対面の幅方向の他端から一端側に２〜３ｍｍの幅をもって形成されている。
【００２５】
上記各フィルム（11）のうち、上側面に形成されるサイドマージン（14）には、大気中の水分やほこり等の不純物（本発明に係る侵入物）がフィルム（11）の内部に侵入するのを阻止するための阻止膜（16）が形成されている。尚、この阻止膜（16）は、本発明に係る阻止部材を構成している。
【００２６】
上記阻止膜（16）は、上記金属膜（12）と同材料のアルミニウムで形成された金属膜であり、膜厚は５０Å〜４００Å程度に形成されている。阻止膜（16）は、各フィルム（11）の上側面のサイドマージン（14）のうち、取付部分（15）に対応する部分を覆って形成されている。
【００２７】
上記メタリコン電極（17,17）は、上記金属膜（12）と電気的に接続されると共に、外部へ延びる接続端子となるものであって、フィルムコンデンサ（10）の電極を構成するものである。尚、このメタリコン電極（17,17）は、本発明に係る電極部材を構成するものである。このメタリコン電極（17,17）は、亜鉛（Ｚｎ）等の金属をフィルムコンデンサ（10）の端部に溶融噴射することで形成される。
【００２８】
具体的に、各フィルム（11）は、その幅方向の取付部分（15）が吹き付けられたメタリコン電極（17,17）の内部に埋没することでメタリコン電極（17,17）に固定支持されている。つまり、メタリコン電極（17,17）が、各フィルム（11）の取付部分（15）を上下方向から挟み込むことで、メタリコン電極（17,17）と金属膜（12）との電気的な接触性を確保すると共に、フィルム（11）を安定して固定支持している。
【００２９】
したがって、各フィルム（11）の片面（上側面）では、一端側のサイドマージン（14）のうち、取付部分（15）に形成された阻止膜（16）がメタリコン電極（17）と接触する一方、他端側の金属膜（12）の蒸着部分がメタリコン電極（17）と接触している。また、各フィルム（11）の反対面（下側面）では、一端側の金属膜（12）のうち、取付部分（15）に対応する位置に形成された金属膜（12）がメタリコン電極（17）と接触する一方、他端側のサイドマージン（14）がメタリコン電極（17）と接触している。
【００３０】
従来のフィルムコンデンサでは、一対のフィルムを互いにずらして１ｍｍ程度の取付部分を設けることによって、金属化フィルムとメタリコン電極とを固定支持していたが、取付部分におけるサイドマージンでは、フィルムが露出した状態となっている。そして、メタリコン電極は、ほこりや水分等の不純物を通過させてしまう。このため、メタリコン電極からフィルムの露出部分を介して大気中の水分やほこり等の不純物がフィルム内部に侵入していた。
【００３１】
ところが、本実施形態のフィルムコンデンサ（10）では、各フィルム（11）のサイドマージン（14）のうち、メタリコン電極（17,17）へ埋没する取付部分（15）には、阻止膜（16）が形成されているため、メタリコン電極（17,17）からのほこりや水分等の不純物は、阻止膜（16）に阻まれるため、サイドマージン（14）を介してフィルム（11）の内部へ水分やほこり等の不純物が入り込むことはない。これにより、フィルム（11）の内部の空隙に水分やほこり等の不純物が付着するのを防止することができる。この結果、フィルムコンデンサ（10）の絶縁抵抗の低下が生じない。
【００３２】
−金属化フィルムの製造工程−
本実施形態に係るフィルム（11）の製造工程について説明する。
【００３３】
まず、図３に示すように、従来のフィルムコンデンサ（a）におけるフィルム（b）の製造工程では、まず、６００ｍｍ幅の広幅長尺のロールフィルム原反（g）に、サイドマージン（e）を作るためのマスク処理を行う。このマスク処理は、オイルマスク又はテープマスクを用いて行われる。次に、ロールフィルム原反（g）に真空蒸着機でアルミニウム（Ａｌ）を蒸着して金属膜（c）を形成する。そして、ロールフィルム原反（g）のスリット部分をカットすることで、図８に示す金属化フィルム（d）が完成する。このフィルム（b）を２枚重ねにして巻回機にかけて巻回する。最後に、巻回して形成した金属化フィルム（d）の幅方向両端にメタリコン電極（f,f）を接続してフィルムコンデンサ（a）が完成する。
【００３４】
次に、本実施形態に係るフィルム（11）の製造工程について説明する。図４に示すように、フィルムコンデンサ（10）におけるフィルム（11）の製造工程では、まず、６００ｍｍ幅の広幅長尺のロールフィルム原反（18）に、サイドマージン（14）を作るためのマスク処理を行う。このとき、ロールフィルム原反（18）のスリット部分には、マスク処理を行わない。このマスク処理は、オイルマスク又はテープマスクを用いて行われる。次に、ロールフィルム原反（18）に真空蒸着機でアルミニウム（Ａｌ）を蒸着して金属膜（12）を形成する。尚、蒸着する金属は、アルミニウム（Ａｌ）に限られず亜鉛（Ｚｎ）等でもよい。このとき、ロールフィルム原反（18）の両面に金属膜（12）を蒸着形成すると共に、スリットの部分にも金属膜である阻止膜（16）を蒸着形成する。そして、ロールフィルム原反（18）のスリット部分をカットすることで、図１に示すフィルム（11）が完成する。このフィルム（11）を２枚重ねにして巻回機にかけて巻回する。最後に、巻回した一対の金属化フィルム（13,13）の幅方向両端にメタリコン電極（17,17）を接続してフィルムコンデンサ（10）が完成する。
【００３５】
上述した製造方法によれば、阻止膜（16）を容易にフィルム（11）上に形成することができる。
【００３６】
−実施形態の効果−
上記実施形態によれば、一方のフィルム（11）の取付部分（15）に位置するサイドマージン（14）と、メタリコン部材（17,17）との接触部分に阻止膜（16）を設けたため、空気中の水分等の不純物が接触部分からサイドマージン（14）を介してフィルム（11）の内部へ入り込むのを阻止することができる。これにより、フィルム（11）の内部で空隙に空気中の水分等の不純物が付着するのを防止することができる。この結果、フィルムコンデンサ（10）の絶縁抵抗が低下するのを確実に防止することができる。
【００３７】
また、上記実施形態によれば、阻止膜（16）を金属膜（12）で形成したため、金属化フィルム（13）へ容易に阻止膜（16）を形成することができる。また、金属化フィルム（13）において、阻止膜（16）の高さと、金属膜（12）の高さとを揃えることができる。
【００３８】
〈参考例１〉
次に、本発明の参考例１について説明する。上記実施形態のフィルムコンデンサ（10）は、一対のフィルム（11,11）のそれぞれの両面に金属膜（12）を蒸着させ、上下２枚重ねにして金属化フィルム（13）を形成し、この金属化フィルム（13）を巻回して形成したのに代えて、図５に示すように、本参考例１に係るフィルムコンデンサ（30）は、二枚のフィルム（11,11）のそれぞれの片面に金属膜（12）を蒸着させて重ね合わせて金属化フィルム（13）を形成し、その状態で巻回して形成するようにしたものである。本変形例では、阻止膜（16）は、樹脂材料によって形成されている。その他の構成・作用及び効果は実施形態と同様である。
【００３９】
〈参考例２〉
次に、本発明の参考例２について説明する。上記実施形態のフィルムコンデンサ（10）は、一対のフィルム（11,11）のそれぞれの両面に金属膜（12）を蒸着させ、上下２枚重ねにして金属化フィルム（13）を形成し、この金属化フィルム（13）を巻回して形成したのに代えて、図６及び図７に示すように、参考例２のフィルムコンデンサ（20）は、一枚のフィルム（11a）の両面に金属膜（12）を蒸着させて、それを別の一枚のフィルム（11b）に重ね合わせて金属化フィルム（13）を形成し、その状態で巻回して形成するようにしたものである。
【００４０】
具体的に、一のフィルム（11a）は、その両側の表面に金属膜（12）がコーティングされて形成されている。このフィルム（11a）は、その片面の幅方向の一端側にサイドマージン（14）が形成されている一方、反対面の幅方向の他端側にサイドマージン（14）が形成されている。そして、このフィルム（11a）には、他の別のフィルム（11b）に対して幅方向の両端がそれぞれ１ｍｍずつ突き出ており、突出部分は取付部分（15,15）を構成している。
【００４１】
上記一のフィルム（11a）は、その幅方向の取付部分（15,15）が吹き付けられたメタリコン電極（17,17）の内部に埋没することでメタリコン電極（17,17）に固定支持されている。そして、このフィルム（11a）の両面のサイドマージン（14,14）のうち、取付部分（15,15）に対応する部分を覆って阻止膜（16,16）が形成されている。
【００４２】
本参考例２のフィルムコンデンサ（20）では、金属膜（12）の蒸着されたフィルム（11a）のサイドマージン（14,14）のうち、メタリコン電極（17,17）へ埋没する取付部分（15,15）には、阻止膜（16,16）が形成されているため、メタリコン電極（17,17）からのほこりや水分等の不純物は、阻止膜（16,16）に阻まれるため、サイドマージン（14,14）を介してフィルム（11a）の内部へ水分やほこり等の不純物が入り込むことはない。これにより、フィルム（11a）の内部の空隙に水分やほこり等の不純物が付着するのを防止することができる。この結果、フィルムコンデンサ（10）の絶縁抵抗の低下が生じない。その他の構成・作用及び効果は実施形態と同様である。
【００４３】
〈その他の実施形態〉
本発明は、上記実施形態について、以下のような構成としてもよい。
【００４４】
上記実施形態では、金属膜（12）及び阻止膜（16）をアルミニウムで形成したが、金属膜（12）及び阻止膜（16）は、その他の金属や樹脂材料等によって形成されてもよい。また、メタリコン電極（17,17）を亜鉛で形成したが、メタリコン電極（17,17）は、その他の金属によって形成されてもよい。
【００４５】
尚、以上の実施形態は、本質的に好ましい例示であって、本発明、その適用物、あるいはその用途の範囲を制限することを意図するものではない。
【産業上の利用可能性】
【００４６】
以上説明したように、本発明は、フィルムコンデンサの絶縁抵抗の低下防止対策について有用である。
【符号の説明】
【００４７】
１１          フィルム
１２          金属膜
１３          金属化フィルム
１４          サイドマージン
１６          阻止膜
１７          メタリコン電極
【手続補正２】
【補正対象書類名】特許請求の範囲
【補正対象項目名】全文
【補正方法】変更
【補正の内容】
【特許請求の範囲】
【請求項１】
重畳した一対のフィルム部材（11,11）の少なくとも一の外側面と少なくとも一の内側面のそれぞれに電極膜（12）が形成された金属化フィルム部材（13）を備え、該金属化フィルム部材（13）が巻回されて形成され、且つ巻回された金属化フィルム部材（13）の幅方向の両端のそれぞれに電極部材（17,17）が接続されたフィルムコンデンサであって、
上記各フィルム部材（11）は、塗工法により形成されると共に、両側面のそれぞれに電極膜（12）が形成され、該各フィルム部材（11）の幅方向の端部で、且つ電極部材（17,17）と電極膜（12）との間にフィルム部材（11）が露出した露出部（14）が形成され、
上記一対のフィルム部材（11,11）は、互いに一方のフィルム部材（11）が、他方のフィルム部材（11）に対して幅方向に突出するように配置され、
上記金属化フィルム部材（13）は、上記フィルム部材（11）の突出部分の露出部（14）に設けられて外部からフィルム部材（11）の内部への侵入物を阻止する阻止部材（16）を備えている
ことを特徴とするフィルムコンデンサ。
【請求項２】
請求項１において、
上記阻止部材（16）は、上記電極膜（12）で構成されている
ことを特徴とするフィルムコンデンサ。